(57)【特許請求の範囲】
【請求項１】
パッケージであって、
らせん雄ねじ形成部を有するネック部分を備える容器と、
該容器用の蓋であって、該蓋は、頂部と底部及び半径を有し、
頂部壁部分と該頂部壁部分から垂れ下がる環状スカート部分とを有するプラスチック蓋キャップを具備する蓋と、を具備し、
前記スカート部分は、蓋ねじらせんを規定するらせん状蓋ねじ形成部であって、前記頂部壁部分から最も遠く隔てられた前記蓋ねじ形成部の端部にねじスタート部を有するらせん状蓋ねじ形成部を備えており、該蓋ねじ形成部は前記容器の前記らせん雄ねじ形成部と協力するねじ契合のために構成されており、
前記蓋ねじ形成部について垂直方向に非対称に構成された、前記スカート部分の内側面上に、少なくとも１つの回転阻止突起を備え、
該回転阻止突起が前記蓋の前記容器からの取り外し時に、前記容器らせん雄ねじ形成部の上面と主として契合するように、該回転阻止突起が前記蓋の頂部方向に該突起の垂直範囲にわたって増加する半径厚さを有する、
該パッケージ。
【請求項２】
前記回転阻止突起が、前記蓋ねじ形成部の前記ねじスタート部に向かう方向に配向されたガイド面と、前記ねじ形成部の前記ねじスタート部から離れる方向に配向された干渉面と、を結果的に規定するよう前記回転阻止突起を通る蓋の半径に対し非対称に構成される請求項１記載のパッケージ。
【請求項３】
前記回転阻止突起が前記ガイド面と前記干渉面との間に位置付けられた内方へ面する面を更に規定する請求項２記載のパッケージ。
【請求項４】
前記回転阻止突起が不規則で、略正六面体の形状を有する請求項１記載のパッケージ。
【請求項５】
前記回転阻止突起が長方形の下面と、台形の上面と、前記蓋ねじ形成部の前記ねじスタート部に向かう方向に配向された台形のガイド面と、そして前記蓋ねじ形成部の前記ねじスタート部から離れる方向に配向された不規則な四辺形干渉面と、を有する請求項４記載のパッケージ。
【請求項６】
前記蓋の前記スカート部分が前記蓋ねじ形成部を横断して延びる少なくとも１つの軸方向に延びる通気溝を規定し、
前記回転阻止突起が該通気溝内に略位置付けられる請求項１記載のパッケージ。
【請求項７】
前記回転阻止突起が前記蓋ねじ形成部の下面に隣接して位置付けられる請求項２記載のパッケージ。
【請求項８】
パッケージであって、
開口を規定し、らせん雄ねじ形成部を有するネック部分を備える容器と、そして
頂部と底部及び半径を有し、頂部壁部分と、該容器の該らせん雄ねじ形成部と嵌合するねじ契合用のらせん雌ねじ形成部を有する垂れ下がるスカート部分とを備え、該蓋ねじ形成部が、蓋ねじらせんを規定し、前記頂部壁部分から最も遠く隔てられた前記ねじ形成部の端部にねじスタート部を有しており、前記蓋ねじ形成部が前記容器の前記らせんねじ形成部と協力するねじ契合用に構成されている蓋と、を具備しており、
該蓋が、前記蓋ねじ形成部について垂直方向に非対称に構成された、前記スカート部分の内側面上に少なくとも１つの回転阻止突起を備え、
該回転阻止突起が前記蓋の前記容器からの取り外し時に、前記容器らせん雄ねじ形成部の上面と主として契合するように、該突起が前記蓋の頂部方向に該突起の垂直範囲にわたって増加する半径厚さを有する、
該パッケージ。
【請求項９】
前記回転阻止突起が、前記蓋のねじ形成部の前記ねじスタート部に向かう方向に配向されたガイド面と、前記ねじ形成部の前記ねじスタート部から離れる方向に配向された干渉面と、を結果的に規定するよう前記回転阻止突起を通る前記蓋の半径に対し非対称に構成される請求項８記載のパッケージ。
【請求項１０】
前記蓋の前記スカート部分が、前記蓋のねじ形成部を横断して延びる少なくとも１つの軸方向に延びる通気溝を規定しており、
前記回転阻止突起が不規則で略正六面体の形状を有し、略前記通気溝内に位置付けられる請求項９記載のパッケージ。
【請求項１１】
前記回転阻止突起が前記蓋のねじ形成部の下面に隣接して位置付けられる請求項９記載のパッケージ。
【請求項１２】
頂部と底部を有するパッケージであって、
開口を規定し、らせん雄ねじ形成部を有するネック部分を備える容器であって、該容器のねじ形成部が前記容器の前記開口に最も近い前記ねじ形成部の端部にねじスタート部を有する容器と、
頂部壁部分と、該容器の該らせん雄ねじ形成部との嵌合するねじ契合用にらせん雌ねじ形成部を有する垂れ下がるスカート部分とを備え、該蓋ねじ形成部が前記頂部壁部分から最も遠く隔てられた前記ねじ形成部の端部にねじスタート部を有しており、前記蓋ねじ形成部が前記容器上のらせん状容器ねじ形成部との協力するねじ契合用に構成されている蓋と、を具備しており、
前記蓋の前記スカート部分及び前記容器の前記ネック部分の少なくとも１つが、前記それぞれのねじ形成部を横断して延びる、少なくとも１つの軸方向に延びる通気溝を規定しており、
前記容器ネック部分と蓋はそれぞれ半径を有し、
前記パッケージは、該通気溝内に略位置付けられ、前記ねじ形成部のそれぞれの１つにより規定されるらせんの垂直方向に非対称に構成された、少なくとも１つの回転阻止突起を具備し、
該回転阻止突起は、該突起が前記蓋の前記容器からの取り外し時に、該突起が契合するねじ形成部の上面と主として契合するように、該突起が前記パッケージの頂部方向に該突起の垂直範囲にわたって増加する半径厚さを有する、
該パッケージ。
【請求項１３】
前記回転阻止突起が不規則で、略正六面体の形状を有する請求項１２記載のパッケージ。
【請求項１４】
前記回転阻止突起が、前記それぞれのねじ形成部の該ねじ形成部のねじスタート部に向かう方向に配向されたガイド面と、前記それぞれのねじ形成部の該ねじ形成部のねじスタート部から離れる方向に配向された干渉面と、を結果的に規定するよう円周方向に非対称に構成される請求項１２記載のパッケージ。
【請求項１５】
前記容器ネック部分が前記通気溝を規定し、前記回転阻止突起が前記容器の前記通気溝内で前記ネック部分に略位置付けられる請求項１２記載のパッケージ。
【発明の詳細な説明】
【技術分野】
【０００１】
本発明は一般的に組み合わせ容器上で使うためのポリマー材料でモールドされたプラスチックねじ蓋に関し、特に該蓋又は該容器上に提供される１つ以上の回転阻止用突起の配置を有する蓋及び容器のパッケージに関しており、該突起は、過剰なトルクの印加無しに消費者による該容器からの該蓋の簡便な取り外しを可能にしながら、該パッケージ内からのガス圧力の放出を可能にするよう作用する。
【背景技術】
【０００２】
炭酸飲料、又は他の加圧製品用のパッケージを形成するため容器上で使われるプラスチックねじ蓋は、市場で非常に幅広い成功に巡り合わせている。この性質のパッケージは、頂部壁部分と、環状の垂れ下がる円柱状スカート部分と、を有するプラスチックモールド蓋キャップを備える蓋を具備するのが典型的である。該スカート部分は、組み合わせ容器上の類似雄ねじ形成部とのねじによる協力用に構成された雌ねじ形成部を有するのが典型的である。該容器との望ましいシール作用は、該頂部壁部分に略隣接して位置付けられたシール用ライナーを該蓋に提供することにより達成される。特に商業的に成功したこの種の蓋は、その全体が引用によりここに組み入れられる特許文献１，２及び３で開示されている。多くの応用では、上記引用の特許文献３の開示、又は全てが引用によりここに組み入れられる特許文献４，５及び６の開示、に依る様ないじくり表示用にこの様な蓋を構成するのが望ましい。
【０００３】
既述の様に、上記種類のパッケ−ジは炭酸入り中味を入れるのに非常に商業的に成功した。この様であるから、この種の蓋は、蓋取り外し時容器内からのガス圧力の通気と放出を容易化するよう構成されるのが典型的である。特に、組み合わせ容器のネック部分上に提供されるねじからの蓋ねじ形成部の分離の前に該容器内からのガス圧力の放出が望ましい。
【０００４】
これまで、この様なパッケージ内からのガス圧力の放出を容易化するために、該蓋の雌ねじ形成部、及び該容器の組み合わせ雄ねじ形成部、の両者は、それぞれのねじ形成部を横断し、実質的に中断する、複数の軸方向に延びる通気溝を備えている。この様な配備により、パッケージ内部からのガスは、該蓋のシールの解放に付随するが、それぞれのねじ形成部の分離の前に、該通気溝を通って容易に流れることが出来る。
【０００５】
加圧中味を有するパッケージ内からのガス圧力の放出が該パッケージ内のガスの圧力及び容積を含む種々の要因に左右されることを認識して、組み合わせ容器のねじ形成部及び通気溝との相互契合用に、該パッケージの蓋上に於ける様な、１つ以上の回転阻止突起を提供することが望ましいことを経験は示した。時に“スピードバンプ”と呼ばれるこの様な突起は、容器に対し蓋の自由回転を阻止するために、蓋取り外し時に、該容器末尾部と摩擦契合し、かくしてそれぞれのねじ形成部の分離の前にパッケージ内からのガス圧力の放出を可能にする。
【０００６】
この様な回転阻止突起の提供は炭酸飲料等用のパッケージに普及したが、それにも拘わらず、この様なパッケージ用のプラスチック蓋は比較的高レベルの取り外し用印加トルクを要せず、かくして消費者による便利な手扱いと取り外しを可能にしている。この様な“取り外しトルク”が望ましく低く保たれていることを認識して、蓋取り外し用の高取り外しトルクに望ましくなく貢献することなく、望ましい回転阻止効果を提供するために、回転阻止突起を構成するよう努力が払われて来た。当業者は認識している様に、蓋のシール用部分と組み合わせ容器の間に存在する静及び動摩擦に打ち勝ち、かつ該蓋及び容器ねじ
形成部間の摩擦に打ち勝つために普通に必要な取り外しトルクのみならず、該パッケージのいじくり表示装備の作動による、開封の破壊又は他の視覚的識別証拠をもたらすため印加されねばならないトルクも、蓋設計者は考慮せねばならない。
【０００７】
引用によりここに組み入れられる特許文献７は蓋用の回転阻止突起の配置を図解しているが、該突起は高速適用を可能にする一方、加圧中味を有するパッケージ内からのガス圧力の放出を容易にするために望ましい回転阻止効果を提供する。本発明は、取り外しトルクを最小化するよう望ましく作用し、かくして消費者による蓋の便利な手扱いと取り外しを可能にしながら、ガス圧力の望ましい放出を可能にするいじくり禁止突起の改良された配備を提供するよう追究する。
【先行技術文献】
【特許文献】
【０００８】
【特許文献１】米国特許第４，３４３，７５４号明細書
【特許文献２】米国特許第４，３７８，８９３号明細書
【特許文献３】米国特許第４，４９７，７６５号明細書
【特許文献４】米国特許第４，９３８，３７０号明細書
【特許文献５】米国特許第４，９７８，０１７号明細書
【特許文献６】米国特許第５，００４，１１２号明細書
【特許文献７】米国特許第６，１２３，２１２号明細書
【発明の概要】
【０００９】
本発明の原理を具体化する蓋及び容器を有するパッケージは、該蓋及び容器上に提供されるそれぞれのねじ形成部の分離の前に該容器内からのガス圧力の放出を可能にしながら、消費者による該容器からの該蓋の簡便な取り外しを実現するよう構成される。とりわけ本発明は、該パッケージの蓋及び容器のそれぞれのねじ形成部により規定されるらせんに対し垂直方向に非対称な形状を各々が有する１つ以上の回転阻止突起の提供を考慮する。この様な配置により、該突起は該容器か又は該蓋のねじ形成部の部分と主として契合するよう構成され、それは蓋取り外し時消費者により印加されねばならない取り外しトルクを最小化する。かくして、ねじ分離の前にパッケージ内からのガス圧力の望ましい放出が、望ましく可能になる一方、同時に取り外し時蓋に印加されねばならない取り外しトルクを最小化し、それにより消費者による便利な手扱いを可能にする。
【００１０】
１つの図解される実施例に依れば、１つ以上の回転阻止突起が該パッケージのプラスチック蓋上に提供され、該蓋は頂部壁部分と、該頂部壁部分から垂れ下がる環状スカート部分と、を有する。該スカート部分は蓋ねじらせんを規定するらせん状蓋ねじ形成部を有し、該ねじ形成部は、該蓋キャップの該頂部壁部分から最も遠く隔てられた該ねじ形成部の端部にねじスタート部を有する。該蓋ねじ形成部は、組み合わせ容器のネック部分の外側に提供されるらせん状容器ねじ形成部との協力するねじ契合用に構成される。
【００１１】
該蓋は該スカート部分の内側面上に少なくとも１つの回転阻止突起を有する。気付かれる様に、各突起は該蓋ねじらせんについて垂直方向に非対称に構成されるので、該突起は該容器からの蓋の取り外し時容器ねじ形成部の上面に主に契合する。好ましい実施例では、該突起は該突起を通って延びる蓋の半径に対し非対称に構成され、それにより該蓋ねじ形成部の該ねじスタート部に向かう方向に配向されたガイド面と、該ねじ形成部の該ねじスタート部から離れる方向に配向された干渉面と、を規定する。この実施例で、該突起は不規則で略正六面体の形状を有する。
【００１２】
図解実施例では、該蓋のスカート部分は、蓋ねじ形成部を横断して延びる少なくとも１つの軸方向に延びる通気溝を規定する。該回転阻止突起は略該通気溝内に位置付けられる
が、該溝は組み合わせ容器のねじ形成部との協力用に望ましく該突起を位置付ける一方、通気溝に於ける該蓋キャップの比較的柔軟な部分内の該突起の配置により、モールディング時の該突起の形成を容易化する。
【００１３】
代わりの実施例では、該蓋キャップは該蓋ねじ形成部の下面に隣接して位置付けられた少なくとも１つの回転阻止突起を備える。該突起は又好ましくは該突起を通って延びる該蓋の半径に対し非対称に構成されるのがよく、それにより該蓋ねじ形成部の該ねじスタート部に向かう方向に配向されたガイド面と、該ねじ形成部の該ねじスタート部から離れる方向に配向された干渉面と、を規定する。
【００１４】
本発明の更に進んだ実施例では、１つ以上の回転阻止突起が、該容器のネック部分により規定される通気溝内の配置による様に、該パッケージの容器上に提供される。この実施例では、又該突起は、該突起が、この様な突起が該蓋上の通気溝内に提供される時の配向と比較して、略逆の配向になるが、不規則で、略正六面体の形状を有するよう図解される。好ましい形式では、該突起は円周方向に非対称に構成され、それによりそれぞれのねじ形成部のねじスタート部に向かう方向に配向されたガイド面と、それぞれのねじ形成部の該ねじスタート部から離れる方向に配向された干渉面と、を規定する。
【００１５】
本発明の他の特徴と利点は下記の詳細説明、付随する図面そして添付する請求項から容易に明らかになるであろう。
【図面の簡単な説明】
【００１６】
【図１】本発明の原理を具体化する回転阻止突起を有するプラスチック蓋を図解する断面図である。
【図２】本蓋が炭酸飲料等用の様なパッケージの形成で使うのに好適になる種類の容器のねじネック部分の部分的立面図である。
【図３】本発明のこの実施例に依る回転阻止突起を図解する部分的斜視図である。
【図４】図３に示す回転阻止突起を図解する線図である。
【図５】本発明に依る回転阻止突起を有する蓋の代わりの実施例を図解する図３と同様な部分的斜視図である。
【図６】本発明の更に進んだ実施例の部分的斜視図であり、回転阻止突起が本パッケージの容器上に提供される。
【実施例１】
【００１７】
本発明は種々の形の実施例が出来るが、現在の好ましい実施例が図面で示され、この後説明され、それは本開示が本発明の例示として考えられるべきであり、本発明を図解される特定の実施例に限定するよう意図されてない、と言う理解に基づいている。
【００１８】
図１を参照すると、本発明の原理を具体化する１つ以上の回転阻止突起を有するプラスチックの蓋１０が図解される。この種の蓋は時には“複合蓋”と呼ばれるが、それは外側シエルキャップとオプションの内側シール用ライナーとを有するその形成のためである。この種の蓋の構造は、蓋を伴うパッケージを形成するために炭酸飲料や又は他の加圧された中味を有する容器上での使用に非常に好適であるとされて来た。
【００１９】
蓋１０は、頂部壁部分１４と、該頂部壁部分１４から垂れ下がる環状又は円柱状スカート部分１６と、を有する外側のモールドされた蓋キャップ、すなわち又はシェル１２を備える。該スカート部分１６は蓋ねじらせんを規定する内側らせんねじ形成部１８を有する。図示される実施例では、ねじ形成部１８は複数のねじセグメントを有する不連続形状で示され、該ねじ形成部は、軸方向に延びる通気溝又は通路２０により横断され、中断される。通気溝２０は蓋の容器からの取り外し時に容器内からのガス圧力の放出を可能にしており、ガス圧力の放出及び均等化は好ましくは、組み合わされる容器の協力するねじ形成部からのねじ形成部１８の分離の前にもたらされるのがよい。ねじ形成部１８は該ねじ形成部が自分自身と重なり合うように少なくとも３６０°、好ましくは３６０°より多く該蓋の周りに延びるのがよい。典型的には、ねじ形成部１８は該スカート部分１６の内部の周りで約５４０°延びる。
【００２０】
本開示の目的で、１９で示されるねじスタート部を参照しており、該ねじ形成部のねじスタート部は該蓋の取り付け時に組み合わせられる容器のねじと最初に契合に入るねじ形成部の部分である。該ねじスタート部は頂部壁部分１４から最も遠く位置付けられるねじ形成部１８の部分である。
【００２１】
蓋１０の他の特徴は当業者により認識されよう。該蓋１０はいじくり表示用に構成され、この目的で該スカート部分１６から垂れ下がる環状の盗み防止バンド（pilfer band）２２を有する。該盗み防止バンド２２は複数の円周方向に隔てられ、内方へ延びる柔軟な突起２４を有するが、該突起は組み合わせ容器との協力した相互契合用に構成されている。
【００２２】
盗み防止バンド２２はスカート部分１６から刻み目線２６により区別されており、該線は該蓋キャップの周りに部分的又は全体に延びている。該盗み防止バンド２２は、該スカート部分１６の内側面と該盗み防止バンドの間に伸び、略該刻み線２６間に架かる、複数の円周方向に隔てられた壊れやすいリブ２８の提供により該スカート部分１６に少なくとも部分的に取り外し可能に結合される。蓋取り外し時の突起２４と組み合わせ容器との相互作用は該壊れやすいリブ２８を破るよう作用し、かくして該盗み防止バンド２２を該スカート部分から部分的又は完全に分離する。開封の容易に視覚的に識別される証拠がかくして提供される。
【００２３】
図解実施例では、蓋１０は頂部壁部分１４の内側面に隣接して位置付けられたシール用ライナー２９を有する。環状リップ又は肩部２９’は圧縮モールディングによりスカート部分１６から略内方へ延び、蓋キャップ内のライナー２９の形成を可能にする。
【００２４】
本発明に依れば、図解された蓋及び容器を有する該パッケージは、特に炭酸飲料等を含むパッケージ内からのガス圧力の通気及び放出を可能にするよう構成される。本発明のパッケージを実施する容器は、ねじ形成部が蓋１０上のねじ形成部１８と嵌合するよう構成された容器ねじらせんを規定する、雄ねじ形成部Ｔを有するねじネック部分を備える、図２に示す図解容器Ｃに従って構成されてもよい。
【００２５】
該容器内からのガス圧力の放出を可能にするために、該容器のネック部分は、該容器のネック部分に形成され、該容器ねじ形成部Ｔを横断し、かつ、略中断する、少なくとも１つの、典型的には複数（すなわち４つ）の軸方向に延びる通気溝又は通路Ｇを有する。これらの種類の通気溝は、該蓋のシール用ライナー２９の領域から、蓋盗み防止バンドの下部自由エッジまで下方に延びる複数の流路を提供することにより、蓋取り外し時、容器内からのガス圧力の放出を可能にする。該通気溝Ｇは、該蓋が容器上に位置付けられる時、溝Ｇが蓋１０のねじ形成部１８の内方へ位置付けられるよう、該容器ネック内へ延びるよう形成される。
【００２６】
本発明の１形式に依ると、蓋１０は、容器Ｃのねじ形成部Ｔと協力する相互契合用、特に容器Ｃの溝Ｇに於ける該ねじ形成部との相互契合用、に構成された、少なくとも１つ、好ましくは複数の回転阻止突起を有するのがよい。該突起の提供は、容器ねじ形成部Ｔからの蓋ねじ形成部１８の分離の前に、蓋取り外し時に、容器Ｃ内からのガス圧力の通気及び放出を可能にする。とりわけ、該回転阻止突起の形状はガス通気実現用に望ましい回転阻止効果を提供する一方、同時に蓋取り外し用に要する取り外しトルクを望ましく最小化し、かくして消費者による便利な手扱いを可能にする。
【００２７】
本発明のこの実施例では、回転阻止突起３０は蓋１０のスカート部分１６の内側面上に提供され、蓋１０の図解された形は、該突起３０が該蓋のスカート部分により規定された軸方向に延びる通気溝２０の１つ内に略位置付けられるよう構成される。現在の好ましい実施例では、複数の回転阻止突起３０は、該蓋キャップの１つ以上の軸方向に延びる通気溝２０内の配置に依る様に、該蓋のスカート部分１６の内側面上に提供される。しかしながら、通気溝内の該突起３０の配置は本発明の実施用に要求されないことは理解されるべきである。しかし、蓋キャップのスカート部分１６は通気溝２０の領域内で比較的柔軟な性質を示すので、該通気溝内の突起３０の配置は、組み合わせモールドからの取り外しを含めて、該突起及び蓋キャップの形成を容易にする。
【００２８】
図解される様に、突起３０は蓋ねじ形成部１８の略垂直方向に中間の重複するセグメントに位置付けられる。突起３０は容器ねじ形成部Ｔとの望ましい契合を提供するよう他の仕方で位置付けられてもよい。
【００２９】
特に図３及び４を参照すると、回転阻止突起３０の独特な形状が図解される。示される様に、突起３０は、通気溝２０内でスカート部分１６の内側面上に一体的に形成された、不規則で、略正六面体の形状を備えるのが好ましい。炭酸飲料用の様な典型的２８ｍｍプラスチック蓋では、通気溝は約０．２２９ｍｍ（０．００９インチ）の桁の深さを有し、突起３０は通気溝の基部から該蓋キャップの中心線又は軸線の方へと内方に延びる。２８ｍｍ蓋キャップ上に提供される突起３０の典型的寸法は図３及び４で図解され、図４は突起３０の正六面体形状を図解する線図である。
【００３０】
評価される様に、突起３０は該ねじ形成部１８により規定されるらせんに対し垂直方向に非対称に構成され、すなわち、突起３０の比較的大きい部分又は質量はらせんの上方へ、該蓋キャップの頂部壁部分の方へ位置付けられる。該突起３０の半径厚さ（肉厚）は、該蓋キャップの頂部の方向に突起の垂直範囲にわたって増加する。この配置により、突起３０は該容器からの該蓋の取り外し時、主として容器ねじ形成部Ｔの上面に契合するよう構成される。この仕方の突起３０の構成は蓋取り外し時要する取り外しトルクを最小化するよう望ましく作用する。
【００３１】
該好ましい実施例では、該突起３０は更に該突起を通る該蓋の半径に対し非対称に構成され、それにより該蓋ねじ形成部の該ねじスタート部１９へ向かう方向に配向されたガイド面３２と、該ねじ形成部の該ねじスタート部１９から離れる方向に配向され、該ガイド面３２と略反対の干渉面３４と、を規定する。比較的浅い傾斜又は角度を有するガイド面３２と、より目立った又は急な形状を有する干渉面３４と、のこの配置は該蓋の組み合わせ容器への取り付けを容易化し、該容器ねじは最初に略ガイド面３２に於いて該突起３０と契合する。該比較的急峻でけわしい干渉面３４は、該干渉面が、特に通気溝Ｇで、該容器ねじ形成部と協力し、契合するので、組み合わせ容器からの該蓋の取り外しに伴う、望ましい回転阻止効果を提供する。図解実施例では、突起３０は、該ガイド面３２と該干渉面３４の間に位置付けられた内方へ面する面３６を更に規定する。
【００３２】
突起３０のこの特定の形状は、本発明の原理を保ちながら、ここに図解された略正六面
体の形状から変えられてもよい。この図解される実施例では、突起３０は長方形の下面、台形（trapezoidal）の上面を有し、該ガイド面３２は台形であり、干渉面３４は不規則な４辺形である。
【００３３】
かくして、上記説明の実施例は比較的複雑な形状を有する回転阻止突起又は“スピードバンプ”を提供するが、該形状は普通の蓋取り外しのみならず該蓋に入るためにも容器末尾からの少しの又は最小の抵抗しか存在しないよう構成される。又突起３０は、もし該蓋が自由にスピンするならば、該容器末尾ねじ形成部を捕らえ、契合するために干渉面３４に於いて鋭い又はより深いエッジを有するよう構成される。もし該蓋が普通に開かれるなら、開封時少しの又は最小の引きずりしか存在しない。気付かれる様に、突起３０は通気溝２０内に配置されるが、該溝は蓋の比較的柔軟な領域であり、製造を容易にする。
【００３４】
動作時、該容器末尾ねじ形成部は該突起３０の“最小寸法”部分に乗り上げるので、少しの又は最小の引きずりしか創られない。しかしながら、蓋を開きながら、突然の放出があるなら、該容器ねじは該突起３０の複雑な形状の干渉面３４の鋭く、深いエッジを捕らえ、それにより該蓋の自由なスピン作用の非常に効果的な停止をもたらす。
【００３５】
３０の様な回転阻止突起は、１つの突起として、或いは複数（すなわち、２、３、４、６、他）の、すなわち、望ましい開き動作を達成するのに必要なだけ多くの、突起として、提供されてもよい。該突起は、例えば、第１通気溝内のねじスタート部に近く付随した１つの突起の配置に依る等、容器ねじとの最適な契合及び協力を提供するよう戦略的に位置付けられてもよい。
【００３６】
とりわけ、上記説明の様な複雑な形状の回転阻止突起を有する蓋の比較解析は約１４．０９ｋｇ・ｃｍ（１２．２５インチポンド）の平均取り外しトルクを示す一方、従来の回転阻止突起を有する蓋は約１５．８１ｋｇ・ｃｍ（１３．７５インチポンド）の平均取り外しトルクを示した。該蓋をスピンさせるために予め決められた量の回転エネルギーが印加される比較テストは、向上した蓋開き性能を示し、標準蓋が３０１°を示す一方、本発明の原理を具体化する蓋は２６７°を示した（このテストではより低い値が好ましい）。
【００３７】
ここに開示した原理に依り構成された回転阻止突起の形状は幅広く変えられてもよいが、該突起の垂直方向の非対称性により、該突起は“上部が重い（top heavy）”と考えられる。望まれる効果は、蓋ねじのプロフアイルの下面と容器ねじの上面の間の“ギャップを充たす”突起を本質的に提供することにより、組み合わせ容器ねじの上面と主として契合することである。この様であるから、該突起が組み合わせ容器ねじの上面のみに契合するよう該突起を構成することが或る応用品用には望ましい。
【００３８】
本発明の代わりの実施例が図５で図解されるが、そこでは回転阻止突起１３０は蓋ねじ形成部１１８の下面に隣接して、スカート部分１６の内側面に提供される。又、評価される様に、突起１３０は蓋ねじらせんについて垂直方向に非対称に構成されるので、該突起は該蓋の組み合わせ容器からの取り外し時、容器ねじ形成部Ｔの上面に主として契合する。この実施例では、突起１３０は容器ねじ形成部Ｔの実質的に上面のみと契合する。
【００３９】
前の実施例に於ける様に、突起１３０は該突起を通る蓋の半径に対し非対称に構成されるのが好ましく、それにより該蓋ねじ形成部のねじスタート部１９に向かう方向に配向されたガイド面１３２と、該ねじ形成部の該ねじスタート部１９から離れる方向に配向され、ガイド面１３２に略反対に位置付けられた干渉面１３４と、を規定する。又蓋キャップ上に提供される突起１３０の特定の数は、消費者による蓋取り外しを容易にするため比較的高い取り外しトルクを同時に避けながら、望まれる回転阻止効果に依り、ここに開示される原理に従い変えられてもよい。
【００４０】
本発明の上記説明の実施例は本パッケージの蓋の内側上に開示した回転阻止突起を提供したが、本発明の原理を具体化する回転阻止突起は本パッケージの容器上に提供されてもよいことは本発明の範囲内にある。この様な配備は図６に図解されるが、そこでは本発明の原理を具体化する回転阻止突起２３０は容器Ｃの略通気溝Ｇ内に提供される。ここに開示した第１実施例の様に、突起２３０は、該突起２３０が上記説明の突起３０のそれに対し比較して反対の配向にあることが認識されるが、不規則で、略正六面体の形状を有する。前の実施例に於ける様に、突起２３０はそれぞれのねじ形成部により規定されるらせんについて垂直方向に非対称に構成され、該突起を通って延びる該容器の半径に対し非対称に構成され、それにより該容器のねじ形成部の該ねじスタート部に向かう方向に配向されたガイド面２３２と、該形成部の該ねじスタート部から離れる方向に配向された干渉面２３４と、を規定するのが好ましい。図解される実施例では、該突起２３０はガイド面２３２と干渉面２３４の略間に延び、外方に面する面２３６を有する。
【００４１】
前に説明した実施例からは特異であるが、突起２３０は該蓋の容器からの取り外し時、蓋ねじ形成部の下面と主として契合するよう構成され、かくして該パッケージ内からのガス圧力の放出を容易にする望ましい回転阻止効果を提供する一方、同時に消費者による取り外し用の該蓋の手扱いを容易にするため取り外しトルクを最小化する。
【００４２】
前記から、本発明の新規概念の真の精神と範囲から離れることなく、数多くの変型や変化がもたらされ得ることが言われるであろう。ここに図解された特定の実施例への限定は意図されておらず、推定されるべきでないことは理解されるべきである。本開示は、全てのこの様な変型は附属する請求項によりカバーされ、該請求項の範囲内に入るよう意図されている。
【図１】
0005443378.tif 000002
【図２】
0005443378.tif 000003
【図３】
0005443378.tif 000004
【図４】
0005443378.tif 000005
【図５】
0005443378.tif 000006
【図６】
0005443378.tif 000007